(57)【要約】      （修正有）【課題】自動製袋装置において、製袋後に特殊な逆止弁を手作業で取り付ける必要のない逆止弁付袋を提供する。【解決手段】長尺第一パネル１のＡ面上部に非接着剤を指定位置のみに間欠的に塗布され、第一パネル１のＡ面上部の非接着剤塗布面部に第二パネル２を重ね、さらに、第一パネル１と第二パネル２は第一パネル１のＡ面非接着剤塗布部の両横側をはさむ形で熱接着させ、さらに、第一パネル１のＢ面に第二パネル２を折り重ねる。さらに、第二パネル２に第三パネル３を重ね、第一パネル１と第二パネル２と第三パネル３を、非接着剤塗布部の両横側をはさむ形で熱接着６させる、さらに、両横側熱接着部を繋ぐ形で広幅熱接着５させる、さらに、第一パネル１と第二パネル２と第三パネル３の四方を熱接着８させてある。【選択図】図１
0003210533.tif 000002
【実用新案登録請求の範囲】
【請求項１】
自動製袋機械において、連続的に逆止弁付袋を製袋する製袋装置、
長尺第一パネルのＡ面上部に非接着剤を指定位置のみに間欠的に塗布する、
第一パネルのＡ面上部の非接着剤塗布面部に第二パネルを重ねる、第一パネルと第二パネルは第一パネルのＡ面非接着剤塗布部の両横側をはさむ形で熱接着させる、
第一パネルのＢ面に第二パネルを折り重ねる、第二パネルに第三パネルを重ねる、
第一パネルと第二パネルと第三パネルを、非接着剤塗布部の両横側をはさむ形で熱接着させた部を、両横側熱接着部を繋ぐ形で広幅熱接着させる、
第一パネルと第二パネルと第三パネルの四方を熱接着して、逆止弁付き製袋を行う製袋装置。
【請求項２】
長尺第一パネルのＡ面上部に非接着剤を指定位置のみに間欠的に塗布された第一パネルである。
【請求項３】
第一パネルのＡ面非接着剤塗布面部に第二パネルを重ねる。
【請求項４】
長尺第一パネルと第二パネルを第一パネルのＡ面非接着剤塗布面部の両横側をはさむ形で熱接着させる。
【請求項５】
第一パネルのＢ面に第二パネルを折り重ねる。
【請求項６】
第二パネルに第三パネルを重ねる。
【請求項７】
第一パネルと第二パネルと第三パネルを、非接着剤塗布部の両横側をはさむ形で熱接着させた部を両横側を繋ぐ形で広幅熱接着させる。
【請求項８】
第一パネルと第二パネルと第三パネルの四方を熱接着して、逆止弁付き製袋を行う製袋装置。
【考案の詳細な説明】
【技術分野】
【０００１】  逆止弁付袋の自動製袋装置に関する。
【背景技術】
【０００２】  バールンの様な風船の、空気注入口の自動逆止弁の製袋装置。【０００３】  逆止弁が製袋時に加工してありますので、空気を入れた後結んだり、のり貼りをしたり、栓をする必要がありません。
【先行技術文献】
参考文献  実用新案登録３１９６１５５号
考案の名称  開閉自在袋
【考案の概要】
【考案が解決しようとする課題】
【０００４】  風船の空気注入口は、特殊な逆止弁を製袋後に手作業で取り付けている、よって、非能率的である。【０００５】  上記の方法で作業するため、大量に安価に製袋することが不可能である。【０００６】  逆止弁の袋に取り付け不良が多く発生している。【０００７】  特殊逆止弁が特殊加工のため、高価である。
【考案が解決するための手段】
【０００８】  長尺第一パネルのＡ面上部に非接着剤を指定位置のみに間欠的に塗布された第一パネルである。
【０００９】  第一パネルのＡ面非接着剤塗布面部に第二パネルを重ねる。
【００１０】  長尺第一パネルと第二パネルを第一パネルのＡ面非接着剤塗布面部の両横側をはさむ形で熱接着させる。
【００１１】  第一パネルのＢ面に第二パネル外側に折り重ねる。
【００１２】  第二パネルに第三パネルを重ねる。
【００１３】第一パネルと第二パネルと第三パネルを、非接着剤塗布部の両横側をはさむ形で熱接着させた部を両横側を繋ぐ形で広幅熱接着させる。
【００１４】  第一パネルと第二パネルと第三パネルの四方を熱接着して、逆止弁付き製袋を行う製袋装置。
【考案の効果】
【００１５】  第一パネルに非接着剤を塗布してあるため、各パネルの四方を接着させても、非接着剤塗布部は、接着しないため、空気注入口に成る。
【００１６】  袋の形態によって、第一パネルの内側に非接着剤塗布部、下部に粘着剤を塗布したあるため、空気注入後の逆止になる。
【００１７】  逆止弁が製袋時に加工してありますので、空気を入れた後結んだり、栓をする必要がありません。
【００１８】  逆止弁付袋が安価にて、大量に製袋できる。
【考案の実施するための形態】
【００１９】  本考案の実施の形態を図面を参照しながら詳細に説明する。なお、以下の説明にあたって、同一構成要件については、同一符号を付けて、重複した説明を省略する。
【００２０】  自動製袋機械において、連続的に逆止弁付袋を製袋する製袋装置である。
【００２１】  長尺第一パネル１のＡ面上部に非接着剤４を指定位置のみに間欠的に塗布された  第一パネル１である。
【００２２】  第一パネル１のＡ面非接着剤塗布面部４に第二パネル２を重ねる。
【００２３】  長尺第二パネル１は第一パネル２より細幅パネルである。
【００２４】  長尺第一パネル１と第二パネル２を第一パネル１のＡ面非接着剤塗布面部４の両横側をはさむ形で熱接着６させる。
【００２５】  第一パネル１のＢ面に第二パネル２折り重ねる。
【００２６】  第二パネル２に第三パネル３を重ねる。
【００２７】第一パネル１と第二パネル２と第三パネル３を、非接着剤塗布部４の両横側をはさむ形で熱接着６させた部を両横側を繋ぐ形で広幅熱接着５させる。
【００２８】  第一パネル１と第二パネル２と第三パネル３の四方を熱接着８して、逆止弁付７き製袋を行う製袋装置。
【図面の簡単な説明】
【図１】  逆止弁付袋の全体説明図。
【図２】  第一パネルのＡ面非接着剤塗布平面説明図。
【図３】  第一パネルと第二パネルの非接着塗布部の重ね説明図。
【図４】  第一パネルＡ面と第二パネル熱接着部説明図。
【図５】  第一パネルのＢ面に第二パネルを折り重ねる説明図。
【図６】  各パネルの熱接着部を繋ぐ広幅熱接着５正面図。
【図７】  各パネルの四方接着を示す正面図
【符号の説明】    １  長尺第一パネル
２  長尺第二パネル
３  長尺第三パネル
４  非接着剤塗布部
５  広幅熱接着部
６  非接着剤塗布部をはさむ接着部
７  空気注入口、逆止弁
８  各パネルの四方接着部
【図１】
0003210533.tif 000003
【図２】
0003210533.tif 000004
【図３】
0003210533.tif 000005
【図４】
0003210533.tif 000006
【図５】
0003210533.tif 000007
【図６】
0003210533.tif 000008
【図７】
0003210533.tif 000009
【手続補正書】
【提出日】平成28年11月9日(2016.11.9)
【手続補正１】
【補正対象書類名】実用新案登録請求の範囲
【補正対象項目名】全文
【補正方法】変更
【補正の内容】
【実用新案登録請求の範囲】
【請求項１】
自動製袋機械において、長尺第一パネルのＡ面上部に非接着剤を指定位置のみに間欠的に塗布された、第一パネルのＡ面上部の非接着剤塗布面部に第二パネルを重ねる手段を備える、逆止弁付製袋装置、
【請求項２】
第一パネルと第二パネルは第一パネルのＡ面非接着剤塗布部の両横側をはさむ形で熱接着させる手段を備える、逆止弁付製袋装置、
【請求項３】
第一パネルのＢ面に第二パネルを折り重ねる手段を備える、逆止弁付製袋装置、
【請求項４】
第二パネルに第三パネルを重ねる手段を備える、逆止弁付製袋装置、
【請求項５】
第一パネルと第二パネルと第三パネルを、非接着剤塗布部の両横側をはさむ形で熱接着させる手段を備える、逆止弁付製袋装置、
【請求項６】
両横側熱接着部を繋ぐ形で広幅熱接着させる手段を備える、逆止弁付製袋装置、
【請求項７】
第一パネルと第二パネルと第三パネルの四方を熱接着させる手段を備える、逆止弁付製袋装置、
【請求項８】
上記請求項手段を備える、逆止弁付製袋装置、
【手続補正書】
【提出日】平成29年1月18日(2017.1.18)
【手続補正１】
【補正対象書類名】実用新案登録請求の範囲
【補正対象項目名】全文
【補正方法】変更
【補正の内容】
【実用新案登録請求の範囲】
【請求項１】
自動製袋機械において、長尺第一パネルのＡ面上部に非接着剤を指定位置のみに間欠的に塗布された、第一パネルのＡ面上部の非接着剤塗布面部に第二パネルを重ねる，さらに、第一パネルと第二パネルは第一パネルのＡ面非接着剤塗布部の両横側をはさむ形で熱接着させる、さらに、第一パネルのＢ面に第二パネルを折り重ねる、さらに、第二パネルに第三パネルを重ねる、さらに、第一パネルと第二パネルと第三パネルを、非接着剤塗布部の両横側をはさむ形で熱接着させる、さらに、両横側熱接着部を繋ぐ形で広幅熱接着させる、さらに、第一パネルと第二パネルと第三パネルの四方を熱接着させる、前記考案の全手段を備える、逆止弁付製袋装置、
【手続補正書】
【提出日】平成29年3月9日(2017.3.9)
【手続補正１】
【補正対象書類名】実用新案登録請求の範囲
【補正対象項目名】全文
【補正方法】変更
【補正の内容】
【実用新案登録請求の範囲】
【請求項１】
逆止弁付袋において、長尺第一パネルのＡ面上部に非接着剤を指定位置のみに間欠的に塗布された、第一パネルのＡ面上部の非接着剤塗布面部に第二パネルを重ねる，さらに、第一パネルと第二パネルは第一パネルのＡ面非接着剤塗布部の両横側をはさむ形で熱接着させる、さらに、第一パネルのＢ面に第二パネルを折り重ねる、さらに、第二パネルに第三パネルを重ねる、さらに、第一パネルと第二パネルと第三パネルを、非接着剤塗布部の両横側をはさむ形で熱接着させる、さらに、両横側熱接着部を繋ぐ形で広幅熱接着させる、さらに、第一パネルと第二パネルと第三パネルの四方を熱接着させてある、逆止弁付袋。